(57)【特許請求の範囲】
【請求項１】
ハウジングと、該ハウジングの下部に配設されたシート部材供給手段と、該ハウジング内で且つ該シート部材供給手段の上方に配設された画像担持手段と、該画像担持手段上にトナー像を形成するための画像形成手段と、該シート部材供給手段からシート部材排出口まで延び、上流端から下流端に向けて順次に配置された上流域、転写域、中間域、定着域及び下流域を含む主搬送径路と、該主搬送径路の該下流域に接続された上流端から該主搬送径路の該上流域に接続された下流端まで延びる副搬送径路と、該転写域において該画像担持手段上に形成されたトナー像を該主搬送径路を通して搬送されるシート部材に転写するための転写手段と、該定着域においてシート部材上のトナー像をシート部材上に定着せしめるための定着手段とを具備し、該主搬送径路の少なくとも主部は該ハウジングの片側部を下流に向かって上方に延び、該副搬送径路の少なくとも主部は該ハウジングの該片側部における該主搬送径路よりも外側を下流に向かって下方に延びており、
該ハウジングの片側壁の一部は該ハウジングの側面の一部を閉じる閉位置と該ハウジングの側面の一部を開放する開位置との間を移動自在に装着された開閉部材から規定されており、該開閉部材を該開位置に移動せしめると、該主搬送径路の該上流域の少なくとも一部、転写域、中間域、及び該下流域の少なくも一部が開放されると共に、該副搬送径路の上流端部、及び主部の一部が開放され、
該開閉部材の内側には、該開閉部材を該閉位置から該開位置に移動せしめる際には該開閉部材と共に閉位置から開位置に移動せしめられるが、該開閉部材が該開位置に移動せしめられた後に該開閉部材から離隔する方向に移動せしめることができる可動部材が付設されており、該開閉部材が該開位置に移動せしめられた後に該可動部材を該開閉部材から離隔する方向に移動せしめると、該副搬送径路の少なくとも大部分が開放される画像形成機において、
該開閉部材にはロック位置と非ロック位置との間を旋回自在に装着され且つ該ロック位置に弾性的に偏倚せしめられているロック部材が配設されており、該ロック部材には把持片が形成されており、該ハウジング内には被ロック部材が配設されており、該可動部材には被係合部材が配設されており、該開閉部材が該閉位置に位置せしめられている時には、該ロック部材が該被ロック部材に係合せしめられて該開閉部材が該閉位置にロックされ、該把持片を把持して該ロック部材を該非ロック位置に旋回せしめると、該ロック部材が該被ロック部材から離脱せしめられて該開閉部材のロックが解除されて該開閉部材を該開位置に移動することが許容されると共に、該ロック部材が該被係合部材に係合せしめられ、これによって該可動部材が該開閉部材と共に移動せしめられるようになり、該ロック部材が該非ロック位置に戻されると該ロック部材が該被係合部材から離脱せしめられて該可動部材が該開閉部材から離隔する方向に移動することが許容される、ことを特徴とする画像形成機。
【請求項２】
ハウジングと、該ハウジングの下部に配設されたシート部材供給手段と、該ハウジング内で且つ該シート部材供給手段の上方に配設された画像担持手段と、該画像担持手段上にトナー像を形成するための画像形成手段と、該シート部材供給手段からシート部材排出口まで延び、上流端から下流端に向けて順次に配置された上流域、転写域、中間域、定着域及び下流域を含む主搬送径路と、該主搬送径路の該下流域に接続された上流端から該主搬送径路の該上流域に接続された下流端まで延びる副搬送径路と、該転写域において該画像担持手段上に形成されたトナー像を該主搬送径路を通して搬送されるシート部材に転写するための転写手段と、該定着域においてシート部材上のトナー像をシート部材上に定着せしめるための定着手段とを具備し、該主搬送径路の少なくとも主部は該ハウジングの片側部を下流に向かって上方に延び、該副搬送径路の少なくとも主部は該ハウジングの該片側部における該主搬送径路よりも外側を下流に向かって下方に延びており、
該ハウジングの片側壁の一部は該ハウジングの側面の一部を閉じる閉位置と該ハウジングの側面の一部を開放する開位置との間を移動自在に装着された開閉部材から規定されており、該開閉部材を該開位置に移動せしめると、該主搬送径路の該上流域の少なくとも一部、転写域、中間域、及び該下流域の少なくも一部が開放されると共に、該副搬送径路の上流端部、及び主部の一部が開放され、
該開閉部材の内側には、該開閉部材を該閉位置から該開位置に移動せしめる際には該開閉部材と共に閉位置から開位置に移動せしめられるが、該開閉部材が該開位置に移動せしめられた後に該開閉部材から離隔する方向に移動せしめることができる可動部材が付設されており、該開閉部材が該開位置に移動せしめられた後に該可動部材を該開閉部材から離隔する方向に移動せしめると、該副搬送径路の少なくとも大部分が開放される画像形成機において、
該開閉部材にはロック位置と非ロック位置との間を旋回自在に装着され且つ該ロック位置に弾性的に偏倚せしめられている第一のロック部材が配設されており、該第一のロック部材には把持片が形成されており、該可動部材にはロック位置と非ロック位置との間を旋回自在に装着され且つ該ロック位置に弾性的に偏倚せしめられている第二のロック部材が配設されており、該ハウジング内には第一の被ロック部材と第二の被ロック部材とが配設されており、該開閉部材が該閉位置に位置せしめられている時には、該第一のロック部材が該第一の被ロック部材に係合せしめられて該開閉部材が該閉位置にロックされる共に該第二のロック部材が該第二の被ロック部材に係合せしめられて該可動部材が該閉位置にロックされ、該把持片を把持して該第一のロック部材を該非ロック位置に旋回せしめると、該第一のロック部材が該第一の被ロック部材から離脱せしめられて該開閉部材のロックが解除されて該開閉部材を該開位置に移動することが許容されると共に、該第一のロック部材が該第二のロック部材に係合せしめられ且つ該第二のロック部材を該非ロック位置に移動せしめ、これによって該可動部材が該開閉部材と共に移動せしめられるようになり、該第一のロック部材が該非ロック位置に戻されると該第一のロック部材が該第二のロック部材から離脱せしめられて該可動部材が該開閉部材から離隔する方向に移動することが許容される、ことを特徴とする画像形成機。
【請求項３】
ハウジングと、該ハウジングの下部に配設されたシート部材供給手段と、該ハウジング内で且つ該シート部材供給手段の上方に配設された画像担持手段と、該画像担持手段上にトナー像を形成するための画像形成手段と、該シート部材供給手段からシート部材排出口まで延び、上流端から下流端に向けて順次に配置された上流域、転写域、中間域、定着域及び下流域を含む主搬送径路と、該主搬送径路の該下流域に接続された上流端から該主搬送径路の該上流域に接続された下流端まで延びる副搬送径路と、該転写域において該画像担持手段上に形成されたトナー像を該主搬送径路を通して搬送されるシート部材に転写するための転写手段と、該定着域においてシート部材上のトナー像をシート部材上に定着せしめるための定着手段とを具備し、該主搬送径路の少なくとも主部は該ハウジングの片側部を下流に向かって上方に延び、該副搬送径路の少なくとも主部は該ハウジングの該片側部における該主搬送径路よりも外側を下流に向かって下方に延びており、
該ハウジングの片側壁の一部は該ハウジングの側面の一部を閉じる閉位置と該ハウジングの側面の一部を開放する開位置との間を移動自在に装着された開閉部材から規定されており、該開閉部材を該開位置に移動せしめると、該主搬送径路の該上流域の少なくとも一部、転写域、中間域、及び該下流域の少なくも一部が開放されると共に、該副搬送径路の上流端部、及び主部の一部が開放され、
該開閉部材の内側には、該開閉部材を該閉位置から該開位置に移動せしめる際には該開閉部材と共に閉位置から開位置に移動せしめられるが、該開閉部材が該開位置に移動せしめられた後に該開閉部材から離隔する方向に移動せしめることができる可動部材が付設されており、該開閉部材が該開位置に移動せしめられた後に該可動部材を該開閉部材から離隔する方向に移動せしめると、該副搬送径路の少なくとも大部分が開放される画像形成機において、
該開閉部材にはロック位置と非ロック位置との間を旋回自在に装着され且つ該ロック位置に弾性的に偏倚せしめられている第一のロック部材が配設されており、該可動部材にはロック位置と非ロック位置との間を旋回自在に装着され且つ該ロック位置に弾性的に偏倚せしめられている第二のロック部材が配設されており、該第一のロック部材には連動片が形成されており、該第二のロック部材には把持片及び連動片が形成されており、該ハウジング内には第一の被ロック部材と第二の被ロック部材とが配設されており、該開閉部材が該閉位置に位置せしめられている時には、該第一のロック部材が該第一の被ロック部材に係合せしめられて該開閉部材が該閉位置にロックされる共に該第二のロック部材が該第二の被ロック部材に係合せしめられて該可動部材が該閉位置にロックされ、該把持片を把持して該第二のロック部材を該非ロック位置に旋回せしめると、該第二のロック部材が該第二の被ロック部材から離脱せしめられて該可動部材のロックが解除されて該可動部材を該開位置に移動することが許容されると共に、該第二のロック部材の該連動片が該第一のロック部材の連動片に作用して該第一のロック部材を該非ロック位置に移動せしめ、これによって該可動部材と共に該開閉部材を該開位置に移動することが許容され、該開閉部材及び該可動部材を該開位置に移動せしめた後においては、該開閉部材を該開位置に残留せしめて該可動部材のみを該閉位置に戻すことができる、ことを特徴とする画像形成機。
【発明の詳細な説明】
【０００１】
【発明の属する技術分野】
本発明は、静電式複写機、印刷機及びファクシミリの如き画像形成機、更に詳しくは画像を形成すべきシート部材を搬送するための２種の搬送径路、即ち主搬送径路及びこの主搬送径路の上流域と下流域との間を延びる副搬送径路、を備えた画像形成機に関する。
【０００２】
【従来の技術】
静電式複写機、印刷機及びファクリミリの如き画像形成機として、当業者には周知の如く、ハウジングと、このハウジングの下部に配設されたシート部材供給手段と、ハウジング内で且つ上記シート部材供給手段の上方に配設された画像担持手段と、画像担持手段上にトナー像を形成するための画像形成手段と、シート部材供給手段からシート部材排出口まで延び、上流端から下流端に向けて順次に配置された上流域、転写域、中間域、定着域及び下流域を含む主搬送径路と、この主搬送径路の下流域に接続された上流端から主搬送径路の上流域に接続された下流端まで延びる副搬送径路と、転写域において画像担持手段上に形成されたトナー像を主搬送径路を通して搬送されるシート部材に転写するための転写手段と、定着域においてシート部材上のトナー像をシート部材上に定着せしめるための定着手段とを具備する形態のものが広く実用に供されている。特に小型化が意図された画像形成機においては、上記主搬送径路の少なくとも主部はハウジングの片側部を下流に向かって上方に延び、副搬送径路の少なくとも主部はハウジングの片側部における主搬送径路よりも外側を下流に向かって下方に延びている。シート部材の片面に単一画像を形成する場合には、シート部材供給手段がら送出されたシート部材が主搬送径路を通して搬送せしめられる。画像担持手段上に形成されたトナー像が転写域においてシート部材に転写され、そしてかかるトナー像が定着域においてシート部材上に定着され、しかる後にシート部材排出口からシート部材が排出される。シート部材の両面に画像を形成する場合或いはシート部材の片面に２個の画像を重合せしめて形成する場合には、片面にトナー像が転写され定着されたシート部材が主搬送径路の下流域から副搬送径路に導入され、副搬送径路を通して主搬送径路の上流域に戻される。
【０００３】
上述した形態の画像形成機においては、主搬送径路及び副搬送径路を通してシート部材を搬送する際に、不可避的にシート部材のジャム（詰まり）が発生する。そこで、例えば特許第２７１５５３９号公報に開示されている如く、必要に応じて主搬送径路及び副搬送径路を少なくとも部分的に開放することができるように構成し、ジャムしたシート部材を主搬送径路及び副搬送径路から充分容易に除去することができるようにしている。
【０００４】
【発明が解決しようとする課題】
而して、上述した形態の従来の画像形成機には次のとおりの解決すべき問題がある。主搬送径路を通してシート部材を搬送する頻度は副搬送径路を通してシート部材を搬送する頻度よりも相当高く、従って副搬送径路においてシート部材がジャムする確率に比べて主搬送径路においてシート部材がジャムする確率は相当大きいが、主搬送径路においてジャムしたシート部材を除去するために副搬送径路よりも内側に配置されている主搬送径路を少なくとも部分的に開放するためには、複数回の部材移動操作を遂行することが必要であり相当煩雑である。また、主搬送径路の少なくとも一部の開放と副搬送径路の少なくとも一部の開放とは異なった操作を必要とし、従って主搬送径路と副搬送径路との双方においてシート部材がジャムした場合には、かかるシート部材の除去のための操作が相当複雑且つ煩雑である。
【０００５】
本発明は上記事実に鑑みてなされたものであり、その主たる技術的課題は、単一の操作によって充分容易に主搬送径路の少なくとも大部分を開放することができ、また主搬送径路の少なくとも大部分の開放に伴って副搬送径路も少なくとも部分的に開放され、そして更に副搬送径路の少なくとも部分的開放に続いて、必要に応じて副搬送径路の少なくとも大部分を充分容易に開放することができる、新規且つ改良された画像形成機を提供することである。
【０００８】
【課題を解決するための手段】
本発明によれば、上記主たる技術的課題を達成する画像形成装置として、ハウジングと、該ハウジングの下部に配設されたシート部材供給手段と、該ハウジング内で且つ該シート部材供給手段の上方に配設された画像担持手段と、該画像担持手段上にトナー像を形成するための画像形成手段と、該シート部材供給手段からシート部材排出口まで延び、上流端から下流端に向けて順次に配置された上流域、転写域、中間域、定着域及び下流域を含む主搬送径路と、該主搬送径路の該下流域に接続された上流端から該主搬送径路の該上流域に接続された下流端まで延びる副搬送径路と、該転写域において該画像担持手段上に形成されたトナー像を該主搬送径路を通して搬送されるシート部材に転写するための転写手段と、該定着域においてシート部材上のトナー像をシート部材上に定着せしめるための定着手段とを具備し、該主搬送径路の少なくとも主部は該ハウジングの片側部を下流に向かって上方に延び、該副搬送径路の少なくとも主部は該ハウジングの該片側部における該主搬送径路よりも外側を下流に向かって下方に延びており、
該ハウジングの片側壁の一部は該ハウジングの側面の一部を閉じる閉位置と該ハウジングの側面の一部を開放する開位置との間を移動自在に装着された開閉部材から規定されており、該開閉部材を該開位置に移動せしめると、該主搬送径路の該上流域の少なくとも一部、転写域、中間域、及び該下流域の少なくも一部が開放されると共に、該副搬送径路の上流端部、及び主部の一部が開放され、
該開閉部材の内側には、該開閉部材を該閉位置から該開位置に移動せしめる際には該開閉部材と共に閉位置から開位置に移動せしめられるが、該開閉部材が該開位置に移動せしめられた後に該開閉部材から離隔する方向に移動せしめることができる可動部材が付設されており、該開閉部材が該開位置に移動せしめられた後に該可動部材を該開閉部材から離隔する方向に移動せしめると、該副搬送径路の少なくとも大部分が開放される画像形成機において、
該開閉部材にはロック位置と非ロック位置との間を旋回自在に装着され且つ該ロック位置に弾性的に偏倚せしめられているロック部材が配設されており、該ロック部材には把持片が形成されており、該ハウジング内には被ロック部材が配設されており、該可動部材には被係合部材が配設されており、該開閉部材が該閉位置に位置せしめられている時には、該ロック部材が該被ロック部材に係合せしめられて該開閉部材が該閉位置にロックされ、該把持片を把持して該ロック部材を該非ロック位置に旋回せしめると、該ロック部材が該被ロック部材から離脱せしめられて該開閉部材のロックが解除されて該開閉部材を該開位置に移動することが許容されると共に、該ロック部材が該被係合部材に係合せしめられ、これによって該可動部材が該開閉部材と共に移動せしめられるようになり、該ロック部材が該非ロック位置に戻されると該ロック部材が該被係合部材から離脱せしめられて該可動部材が該開閉部材から離隔する方向に移動することが許容される、ことを特徴とする、
或いは、該開閉部材にはロック位置と非ロック位置との間を旋回自在に装着され且つ該ロック位置に弾性的に偏倚せしめられている第一のロック部材が配設されており、該第一のロック部材には把持片が形成されており、該可動部材にはロック位置と非ロック位置との間を旋回自在に装着され且つ該ロック位置に弾性的に偏倚せしめられている第二のロック部材が配設されており、該ハウジング内には第一の被ロック部材と第二の被ロック部材とが配設されており、該開閉部材が該閉位置に位置せしめられている時には、該第一のロック部材が該第一の被ロック部材に係合せしめられて該開閉部材が該閉位置にロックされる共に該第二のロック部材が該第二の被ロック部材に係合せしめられて該可動部材が該閉位置にロックされ、該把持片を把持して該第一のロック部材を該非ロック位置に旋回せしめると、該第一のロック部材が該第一の被ロック部材から離脱せしめられて該開閉部材のロックが解除されて該開閉部材を該開位置に移動することが許容されると共に、該第一のロック部材が該第二のロック部材に係合せしめられ且つ該第二のロック部材を該非ロック位置に移動せしめ、これによって該可動部材が該開閉部材と共に移動せしめられるようになり、該第一のロック部材が該非ロック位置に戻されると該第一のロック部材が該第二のロック部材から離脱せしめられて該可動部材が該開閉部材から離隔する方向に移動することが許容される、ことを特徴とする、
或いは該開閉部材にはロック位置と非ロック位置との間を旋回自在に装着され且つ該ロック位置に弾性的に偏倚せしめられている第一のロック部材が配設されており、該可動部材にはロック位置と非ロック位置との間を旋回自在に装着され且つ該ロック位置に弾性的に偏倚せしめられている第二のロック部材が配設されており、該第一のロック部材には連動片が形成されており、該第二のロック部材には把持片及び連動片が形成されており、該ハウジング内には第一の被ロック部材と第二の被ロック部材とが配設されており、該開閉部材が該閉位置に位置せしめられている時には、該第一のロック部材が該第一の被ロック部材に係合せしめられて該開閉部材が該閉位置にロックされる共に該第二のロック部材が該第二の被ロック部材に係合せしめられて該可動部材が該閉位置にロックされ、該把持片を把持して該第二のロック部材を該非ロック位置に旋回せしめると、該第二のロック部材が該第二の被ロック部材から離脱せしめられて該可動部材のロックが解除されて該可動部材を該開位置に移動することが許容されると共に、該第二のロック部材の該連動片が該第一のロック部材の連動片に作用して該第一のロック部材を該非ロック位置に移動せしめ、これによって該可動部材と共に該開閉部材を該開位置に移動することが許容され、該開閉部材及び該可動部材を該開位置に移動せしめた後においては、該開閉部材を該開位置に残留せしめて該可動部材のみを該閉位置に戻すことができる、ことを特徴とする画像形成機提供される。
【００１２】
【発明の実施の形態】
以下、本発明に従って構成された画像形成機の好適実施形態を図示している添付図面を参照して、更に詳細に説明する。
【００１３】
図１を参照して説明すると、図示の画像形成機は略直方体形状でよいハウジング２を具備している。ハウジング２内の下部には上下方向に積重配置された一対のシート部材供給手段４ａ及び４ｂが配設されている。このシート部材供給手段４ａ及び４ｂは、夫々、カセット手段６ａ及び６ｂ並びに送出手段８ａ及び８ｂから構成されている。カセット手段６ａ及び６ｂはハウジング２内の作用位置とこの作用位置から前方（図１において紙面に垂直で且つ手前向き方向）に引き出した引出位置との間を移動自在に装着されており、カセット手段６ａ及び６ｂを引出位置に引き出して所要寸法の普通紙でよい複数枚のシート部材を積層状態で装填することができる。送出ローラ１０ａ及び１０ｂ並びに分離ローラ１２ａ及び１２ｂを含む周知の形態でよい送出手段８ａ及び８ｂは、カセット手段６ａ及び６ｂからシート部材を１枚毎送出する。ハウジング２内における上記シート部材供給手段４ａ及び４ｂの上方には、周表面に静電写真感光体が配設されている回転ドラムから構成された画像担持手段１４が配設されている。図１において時計方向に回転駆動される画像担持手段１４の周囲には、画像担持手段１４上にトナー像を形成するための画像形成手段が配設されている。かかる画像形成手段は、画像担持手段１４の周囲にその回転方向に見て順次に配置された一様帯電手段１６、画像露光手段１８、現像手段２０及びクリーニング手段２２を含んでいる。画像担持手段１４の周囲には、現像手段２０とクリーニング手段２２との間に位置する転写手段２４も配設されている。一様帯電手段１６によって画像担持手段１４の表面が特定極性に一様に帯電され、次いで画像露光手段１８によって画像担持手段１４の表面が選択的に露光されて除電され、これによって画像担持手段１４上に静電潜像が形成される。次いで、現像手段２０によって静電潜像がトナー像に現像される。しかる後に、画像担持手段１４上のトナー像が転写手段２４の作用によってシート部材（更に詳しくは、後述する主搬送径路の転写域を通して搬送されるシート部材）上に転写される。クリーニング手段２２は、トナー像転写の後に画像担持手段１４上に残留するトナーを画像担持手段１４上から除去する。現像手段２０には交換自在なトナーカートリッジ２６が付設されており、トナー補給径路（図示していない）を介してトナーカートリッジ２６から現像装置２０にトナーが補給される。
【００１４】
ハウジング２内の片側部（図１において左側部）には主搬送径路２８が配設されている。図示の実施形態における主搬送径路２８は、上記シート部材供給手段４ａの送出端からハウジング２の上部に配置されたシート部材排出口３０まで、ハウジング２内の片側部を下流に向かって上方に略鉛直に延びている。かかる主搬送径路２８は転写域３２及び定着域３４に加えて転写域３２よりも上流に位置する上流域３６、転写域３２と定着域３４との間に位置する中間域３８、及び定着域３４よりも下流に位置する下流域４０を含んでいる。主搬送径路２８の上流域３６は案内部材４２、４４、４６、４８、５０及び５２によって規定されている。そして、主搬送径路２８の上流域３６には搬送ローラ対５４及びレジストローラ対５６が配設されている。主搬送径路２８の転写域３２には上述した転写手段２４が配設されている。転写手段２４は所要電圧が印加される導電性ローラから構成することができる。主搬送径路２８の中間域３８は案内部材５８及び６０によって規定されている。主搬送径路２８の定着域３４には定着手段６２が配設されており、この定着手段６２は定着ローラ対６４を含んでいる。主搬送径路２８の下流域４０は案内部材６５、６６及び６８によって規定されている。下流域４０の下流端即ちシート部材排出口３０には、排出ローラ対７０が配設されている。
【００１５】
通常の画像形成工程においては、上述したシート部材供給手段４ａ又は４ｂから主搬送径路２８にシート部材が送出され、かかるシート部材が主搬送径路２８を通して搬送される。シート部材が転写域３２を通る際には転写手段２４の作用によって画像担持手段１４上のトナー像がシート部材上に転写される。シート部材が定着域３４を通る際には、シート部材上に転写されたトナー像が定着手段６２によってシート部材上に加熱定着される。ハウジング４の上面には受け手段７２が配設されており、シート部材排出口３０から排出されるシート部材はこの受け手段７２上に排出される。
【００１６】
図示の実施形態においては、主搬送径路２８の上流端には導入径路７４が付設されている。この導入径路７４はハウジング２の下面に配設された導入口７６から主搬送径路２８の上流端まで延びている。導入径路７６は案内部材７８及び８０並びに上記案内部材４２及び４４によって規定されている。導入径路７６には搬送ローラ対８２が配設されている。ハウジング２の下方には必要に応じて適宜の形態のシート部材供給ユニット（図示していない）を組み合わすことができる。かかるシート部材供給ユニットからシート部材が送出される場合には、シート部材供給ユニットから送出されたシート部材が導入口７６から導入径路７６に導入され、導入径路７６から主搬送径路２８に導入される。主搬送径路２８には、その下流域４０から分岐して延びる付加排出径路８４も付設されている。この付加排出径路８４は主搬送径路２８の下流域４０から分岐してハウジング２の上面に形成されている排出口８５まで延びている。主搬送径路２８と付加排出径路８４との分岐部には切換手段８６が配設されている。切換手段８６が実線で示す第一の位置に位置せしめられている時には、主搬送径路２８の定着域３４から下流域４０に搬送されたシート部材はシート部材排出口３０を通して受け手段７２上に排出される。一方、切換手段８６が二点鎖線で示す第二の位置に位置せしめられると、主搬送径路２８の定着域３４から下流域４０に搬送されたシート部材は付加排出径路８４に搬入され、排出口８５を通して排出される。ハウジング２の上面にはメールボックスと称される分配ユニットの如き適宜のユニット（図示していない）を付設することができ、排出口８５から排出されるシート部材はかかるユニットに導入される。
【００１７】
図１を参照して説明を続けると、ハウジング２内には、更に、副搬送径路８８が配設されている。図示の実施形態における副搬送径路８８は、主搬送径路２８の下流域４０に接続された上流端から主搬送径路２８の上流域３６に接続された下流端まで延びている。副搬送径路８８の上流端部及び下流端部は略水平に延びているが、副搬送径路８８の主部はハウジング２の片側部における主搬送径路２８よりも外側を下流に向かって下方に略鉛直に延びている。かような副搬送径路８８は案内部材９０、９２、９４、９６、９８、１００及び１０２によって規定されている。部材９０は主搬送径路２８の一部を規定している上記部材６５と一体に形成することができ、また部材１０２は主搬送径路２８の一部を規定している上記部材４４と一体に形成することができる。副搬送径路８８には、搬送ローラ対１０４、１０６及び１０８が配設されている。副搬送径路８８の上流端と主搬送径路２８との接続部には切換手段１１０が配設されている。切換手段１１０が実線で示す第一の位置に位置せしめられている時には、主搬送径路２８の下流域４０に搬送されたシート部材が副搬送径路８８に搬入されることはなく、シート部材は主搬送径路２８の下流域４０を通して搬送され或いは下流域４０から付加排出径路８４に導入される。一方、切換手段１１０が二点鎖線で示す第二の位置に位置せしめられると、主搬送径路２８の下流域４０に搬送されたシート部材は副搬送径路８８に導入される。更に詳述すると、シート部材の表裏両面に画像を形成する場合には、片面に画像が形成されたシート部材はその大部分がシート部材排出口３０から排出されその後端部が排出ローラ対６８にニップされている状態になるまで、主搬送径路２８を通して搬送され、しかる後に切換手段１１０が二点鎖線で示す第二の位置に切り換えられると共に排出ローラ対６８が逆方向に回転駆動せしめられ、かくしてシート部材はその後端を先頭にせしめて副搬送径路８８に導入される。そして、副搬送径路８８を通して搬送されて、その表裏を反転せしめて主搬送径路２８の上流域３６に戻され、主搬送径路２８の転写域３２、中間域３８、定着域３４及び下流域４０を通して搬送され、シート部材排出口３０から排出され或いは付加排出径路８４を通して排出される。転写域３２を通して搬送される際には、画像担持手段１４上のトナー像がシート部材の他面に転写され、定着域３４を通る際には、かかるトナー像がシート部材の他面上に定着される。シート部材の片面に２個の画像を重ねて形成する場合には、主搬送径路２８を通して搬送されるシート部材が下流域４０に導入される前に切換手段１１０が二点鎖線で示す第二の位置に切り換えられ、シート部材はその先端からそのまま副搬送径路８８に導入される。そして、副搬送径路８８を通して搬送されて、その表裏を反転せしめられることなく再び主搬送径路２８の上流域３６に戻され、主搬送径路２８の転写域３２、中間域３８、定着域３４及び下流域４０を通して搬送され、シート部材排出口３０から排出され或いは付加排出径路８４を通して排出される。転写域３２を通して搬送される際には、画像担持手段１４上のトナー像がシート部材の片面に重ねて転写され、定着域３４を通る際には、かかるトナー像がシート部材の片面上に定着される。
【００１８】
図示の実施形態においては、副搬送径路８８の上流部には付加排出径路１１２が付設されている。この付加排出径路１１２は副搬送径路８８の上流端部から分岐してハウジング２の片側壁に形成された排出口１１４まで延びている。副搬送径路８８と付加排出径路１１２との分岐部には切換手段１１６が配設されている。切換手段１１６が実線で示す第一の位置に位置せしめられている時には、副搬送径路８８に導入されたシート部材はそのまま副搬送径路８８を通して搬送され、主搬送径路２８に戻される。一方、切換手段１１６が二点鎖線で示す第二の位置に切り換えられると、副搬送径路８８に導入されたシート部材は、副搬送径路８８の上流端部から付加排出径路１１２に導入され、排出口１１４から排出される。ハウジング２の片側にはソート機能及び／又はステープル機能等を備えたフィニッシャ（図示していない）を配設すことができ、排出口１１４から排出されたシート部材をフィニッシャに導入することができる。
【００１９】
而して、図示の画像形成機における上述したとおりの構成及び作用は当業者には周知の形態でよく、本発明に従って構成された画像形成機における新規な特徴を構成するものではなく、それ故にこれらについての詳細な説明は本明細書においては省略する。
【００２０】
図１と共に図２及び図３を参照して説明を続けると、図示の画像形成機においては、ハウジング２の片側壁（図１乃至図３において左側壁）の一部、更に詳しくは下端部を除く主部は、図１に図示する閉位置と図２及び図３に図示する開位置との間を旋回動自在に装着されている開閉部材１１８によって規定されている。そしてまた、この開閉部材１１８には、開閉部材１１８の開動に付随して図２に図示する位置まで図１及び図２において反時計方向に旋回動せしめられた後に、開閉部材１１８とは別個に図２及び図３において時計方向に旋回動せしめられて、開閉部材１１８から離隔されて図１及び図３に示す位置まで戻され得る可動部材１２０が装着されている。更に詳述すると、ハウジング２内の下端部には図１乃至図３において紙面に垂直な方向に延びる支持軸１２２が配設されており、開閉部材１１８及び可動部材１２０はそれらの下端部が支持軸１２２に旋回自在に装着、従って支持軸１２２の中心軸線を旋回中心軸線として旋回自在に装着されている。開閉部材１１８が図１に示す閉位置に位置せしめられている時には、後に詳述する如く開閉部材１１８は閉位置に解除自在にロックされている。開閉部材１１８が図２及び図３に示す開位置まで旋回動せしめられると、図示していないが開閉部材１１８の特定部位が静止制限部材に当接せしめられ、これによって開閉部材１１８が図２及び図３に図示する開位置を越えて更に図１乃至図３において反時計方向に旋回動することが阻止される。
【００２１】
図２及び図３を参照することによって明確に理解されるとおり、主搬送径路２８を規定している上記部材４４、４８、５２及び６０は可動部材１２０に固定され或いは可動部材１２０と一体に形成されている。また、主搬送径路２８に配設されている搬送ローラ対５４における外側ローラ、レジストローラ対５６における外側ローラ、及び転写手段２４も可動部材１２０に装着されている。更に、副搬送径路８８における搬送ローラ対１０４における内側ローラ、搬送ローラ対１０６における双方のローラ及び搬送ローラ対１０８における双方のローラも可動部材１２０に装着されている。一方、主搬送径路２８を規定している上記部材６５と共に、副搬送径路８８を規定している上記部材９０、９６及び１００は開閉部材１１８に固定され或いは開閉部材１１８と一体に形成されている。また、副搬送径路８８と付加排出径路１１２との分岐部に配設されている切換手段１１６も開閉部材１１８に装着されている。かような次第であるので、開閉部材１１８及び可動部材１２０が図２に図示する開位置まで旋回動せしめられると、主搬送径路２８における大部分、更に詳細には上流域３６、転写域３２、中間域３８、下流域４０の上流側半部が開放され、そしてまた副搬送径路８８における一部、更に詳細には上流端部と共に略鉛直に延びる主部の上流半部も開放される。従って、主搬送径路２８においてシート部材がジャムした場合には、開閉部材１１８及び可動部材１２０を図２に図示する位置まで旋回動せしめて主搬送径路１１８の大部分を開放することによって、ジャムしたシート部材を充分容易に除去することができる。また、副搬送径路８８の上流端部及び／又は主部の上流半部においてシート部材がジャムした場合にも、開閉部材１１８及び可動部材１２０を図２に図示する位置まで旋回動せしめて副搬送径路８８を部分的に開放することによって、ジャムしたシート部材を充分容易に除去することができる。更に、開閉部材１１８及び可動部材１２０を図２に示す位置まで旋回動せしめた後に、可動部材１２０を図３に示す位置まで旋回動せしめれば、副搬送径路８８の大部分、更に詳しくは下流端部を除いて上流端部及び主部が開放される。従って、開閉部材１１８及び可動部材１２０を図２に示す位置まで旋回動せしめた後に、可動部材１２０を図３に示す位置まで旋回動せしめれば、副搬送径路８８のいずれにおいてシート部材がジャムした場合でも、ジャムしたシート部材を充分容易に除去することができる。
【００２２】
開閉部材１１８及び可動部材１２０の連動及び離脱について、図４を参照して説明すると、上記開閉部材１１８には、支持ピン１２４を中心として実線で示すロック位置と二点鎖線で示す非ロック位置との間を旋回自在に、ロック部材１２６が装着されている。一方、ハウジング２内の所定位置にはピンから構成することができる被ロック部材１２８が固定されている。ロック部材１２６の一端にはハウジング２の外部から把持することができる把持片１２９が形成され、他端には係止突起１３０が形成されている。係止突起１３０の先端部には傾斜面１３２が形成されている。開閉部材１１８の本体とロック部材１２６との間には引張ばね１３３が配設されており、ロック部材１２６は実線で示すロック位置に弾性的に偏倚せしめられている。開閉部材１１８には、更に、磁性材料から形成されている被吸着部１３４も配設されている。一方、可動部材１２０には開閉部材１１８の吸着部１３４に対応して永久磁石ら形成された吸着部１３６が配設されている。可動部材１２０には把持片１３８も配設されている。
【００２３】
開閉部材１１８が閉位置に位置せしめられている時には、引張ばね１３３によってロック位置に弾性的に偏倚せしめられているロック部材１２６の係止突起１３０が被ロック部材１２８に係止せしめられ、これによって開閉部材１１８が閉位置にロックされている。開閉部材１１８の被吸着部１３４が可動部材１２０の吸着部１３６に磁気的に吸着されることによって可動部材１２０は開閉部材１１８に連結されている。ロック部材１２６の把持片１２９に手を掛けてロック部材１２６を二点鎖線で示す非ロック位置に旋回せしめると、ロック部材１２６の係止突起１３０が被ロック部材１２８から離脱せしめられて、開閉部材１１８のロックが解除される。従って、開閉部材１１８を図４において反時計方向に旋回せしめて、図２に図示する開位置に旋回動せしめることができる。可動部材１２０の吸着部１３６が開閉部材１１８の被吸着部１３４を吸着している故に、開動部材１２０も開閉部材１１８に付随して図２に示す開位置まで旋回動せしめられる。しかる後に、片方の手で開閉部材１１８の可動を阻止して、他方の手を可動部材１２０の把持片１３８に掛けて可動部材１２０を図２乃至図４において時計方向に旋回動せしめると、開閉部材１１８の被吸着部１３４から可動部材１２０の吸着部１３６が離脱され、図３に図示する如く開閉部材１１８を開位置に残留せしめて可動部材１２０を元の位置に戻すことができる。開閉部材１１８を図２及び図３に図示する開位置から図４に図示する閉位置に旋回動せしめると、その最終段階において、ロック位置に位置せしめられているロック部材１２６の傾斜面１３２が被ロック部材１２８に当接せしめられ、次いで開閉部材１１８の旋回動に応じてロック部材１２６が図４において時計方向に幾分旋回せしめられる。開閉部材１１８が閉位置まで旋回動せしめられると、ロック部材１２６の傾斜面１３２が被ロック部材１２８を通過し、従ってロック部材１２６がロック位置に弾性的に戻されてその係止突起１３０が被ロック部材１２８に係止せしめられる。
【００２４】
図５は開閉部材１１８及び可動部材１２０の連動及び離脱に関する構成の変形例を図示している。図５に図示する変形例においては、開閉部材１１８と可動部材１２０とを磁気的に連結するための吸着部及び被吸着部を配設することに代えて、ロック部材１２６に係止突起１３０に加えて付加係止突起１４０を形成し、そして可動部材１２０にピンから構成することができる被係合部材１４２を配設している。かかる変形例においては、ロック部材１２６の把持片１２９に手を掛けてロック部材１２６を二点鎖線で示す非ロック位置に旋回せしめると、ロック部材１２６の付加係止突起１４０が可動部材１２０の被係合部材１４２に係合せしめられ、従って開閉部材１１８を図２に図示する開位置に旋回動せしめると、これに付随して可動部材１２０も図２に示す位置に旋回動せしめられる。開閉部材１１８及び可動部材１２０を図２に示す開位置まで旋回動せしめた後にロック部材１２６の把持片１２９から手を放すと、引張ばね１３３の弾性偏倚作用によってロック部材１２６は実線で示すロック位置に戻され、付加係止突起１４０は可動部材１２０の被係合部材１４２から離脱せしめられる。従って、図３に図示する如く開閉部材１１８を開位置に残留せしめて可動部材１２０のみを元の位置に戻すことができる。
【００２５】
図６は開閉部材１１８及び可動部材１２０の連動及び離脱に関する構成の更に他の変形例を図示している。図６に図示する変形例においては、可動部材１２０に被係合部材を配設することに代えて、可動材１２０に支持ピン１４４を中心として実線で示すロック位置と二点鎖線で示す非ロック位置との間を旋回自在に第二のロック部材１４６を装着し、そして更にハウジング２内の所定位置にはピンから構成することができる第二の被ロック部材１４８を固定している。可動部材１２０と第二のロック部材１４６との間には引張ばね１５０が配設されており、第二のロック部材１４６は実線で示すロック位置に弾性的に偏倚されている。第二のロック部材１４６の一端には傾斜面１５２を有する係止突起１５４が形成されており、他端には付加係止突起１５６が形成されている。開閉部材１１８と共に可動部材１２０が図６に図示する閉位置に位置せしめられている時には、引張ばね１５０によってロック位置に弾性的に偏倚されている第二のロック部材１４６の係止突起１５４が被ロック部材１４８に係止せしめられ、これによって可動部材１２０が閉位置にロックされている。開閉部材１１８に装着されているロック部材即ち第一のロック部材１２６の把持片１２９に手を掛けて第一のロック部材１２６を二点鎖線で示す非ロック位置に旋回動せしめると、第一のロック部材１２６の係止突起１３０が対応する被ロック部材即ち第一のロック部材１２８から離脱せしめられて、開閉部材１１８のロックが解除される。これに加えて、第一のロック部材１２６の付加係止突起１４０が可動部材１２０に装着されている第二のロック部材１４６の付加係止突起１５６に係合し、そして第二のロック部材１４６を二点鎖線で示す非ロック位置に旋回せしめ、これによって可動部材１２０のロックも解除される。従って、開閉部材１１８を図２に示す開位置に旋回動せしめると、第一のロック部材１２６の付加係止突起１４０が第二のロック部材１４６の付加係止突起１５６に係合せしめられている故に、可動部材１２０も図２に示す開位置に旋回動せしめられる。開閉部材１１８及び可動部材１２０を図２に示す開位置まで旋回動せしめた後に第一のロック部材１２６の把持片１２９から手を放すと、引張ばね１３３の弾性偏倚作用によって第一のロック部材１２６は実線で示すロック位置に戻され、付加係止突起１４０は第二のロック部材１４６の付加係止突起１５６から離脱せしめられる。従って、図３に図示する如く開閉部材１１８を開位置に残留せしめて可動部材１２０のみを元の位置に戻すことができる。可動部材１２０を図２に図示する開位置から図３及び図６に図示する閉位置に旋回動せしめると、その最終段階において、ロック位置に位置せしめられている第二のロック部材１４６の傾斜面１５２が第二の被ロック部材１４８に当接せしめられ、次いで可動部材１２０の旋回動に応じて第二のロック部材１４６が図４において時計方向に幾分旋回せしめられる。可動部材１２０が閉位置まで旋回動せしめられると、第二のロック部材１４６の傾斜面１５２が第二の被ロック部材１４８を通過し、従って第二のロック部材１４６がロック位置に弾性的に戻されてその係止突起１５４が被ロック部材１４８に係止せしめられる。
【００２６】
図７は開閉部材１１８及び可動部材１２０の連動及び離脱に関する構成の更に他の変形例を図示している。図７に図示する変形例においては、開閉部材１１８に装着された第一のロック部材１２６には、把持片に代えて図７において左方に向かって下方に傾斜して延びる連動片１５８が形成されている。一方、可動部材１２０に装着されている第二のロック部材１４６には、付加係止突起に代えて図７において左方に延びる連動片１６０が形成されていると共に、この連動片１６０の先端に把持片１６２が配設されている。ハウジング２の外部から把持することができる把持片１６２に手を掛けて第二のロック部材１４６を二点鎖線で示す非ロック位置に旋回動せしめると、第二のロック部材１４６の係止突起１５４が第二の被ロック部材１４８から離脱せしめられ、可動部材１２０のロックが解除される。これに加えて、第二のロック部材１４６の連動片１６０が開閉部材１１８に装着されている第一のロック部材１２６の連動片１５８に作用し、第一のロック部材１２６も二点鎖線で示す非ロック位置に旋回動せしめられ、これによって第一のロック部材１２６の係止突起１３０も被ロック部材１２８から離脱せしめられ、これによって開閉部材１１８のロックも解除される。従って、第二のロック部材１４６の把持片１６２を引っ張ることによって可動部材１２０と共に開閉部材１１８を図２に図示する開位置に旋回動せしめることができる。そして、可動部材１２０と共に開閉部材１１８を図２に図示する開位置に旋回動せしめた後においては、開閉部材１１８を図２及び図３に図示する開位置に残留せしめて可動材１２０のみを図３及び図７に図示する閉位置に戻すことができる。
【００２７】
図１及び図２と共に図８を参照して説明を続けると、本発明に従って構成された図示の画像形成機においては、回転ドラムから構成されている画像担持手段１４の直ぐ上流側において主搬送径路２８の内側を規定している案内部材５０は、図１及び図８に実線で示す第一の位置と図２に実線で示すと共に図８に二点鎖線で示す第二の位置との間を移動自在に装着されている。第一の位置においては、案内部材５０は主搬送径路２８の内側を規定する。後に更に言及する如く開閉部材１１８が閉位置に位置せしめられている時には、案内部材５０は第一の位置に位置せしめられ、画像担持手段１４を構成する回転ドラムの周表面の一部は転写域３２において主搬送径路２８に露呈せしめられている。従って、回転ドラムの周表面に形成されているトナー像が主搬送径路２８を通して搬送されるシート部材上に転写され得る。一方、開閉部材１１８は図２に示す開位置にせしめられると、案内部材５０は第二の位置に移動せしめられ、回転ドラムの、主搬送径路２８に露呈されていた周表面の一部を覆う。
【００２８】
更に詳述すると、図８に明確に図示する如く、案内部材５０の両側部にはリブ１６４が形成されていると共に、かかるリブ１６４から延出するアーム１６６が形成されている。アーム１６６の各々には幅方向外方に突出する支持ピン１６８が固定されており、かかる支持ピン１６８の各々はハウジング２内に配設されている支持基板（図示していない）に回転自在に装着され、かくして案内部材５０は実線で示す第一の位置と二点鎖線で示す第二の位置との間を支持ピン１６８を旋回中心として旋回自在に装着されている。アーム１６６の一方には支持ピン１６８に加えてピニオン歯車１７０も固定されている。アーム１６８の他方とハウジング２内に配設されている上記支持基板との間にはばね部材１７２が介在せしめられている。かかるばね部材１７２は案内部材５０を図１において時計方向に弾性的に偏倚している。一方、図２及び図８を参照することによって理解される如く、可動部材１２０に固定された案内部材５２の片側縁には突出レバー１７４が付設されており、この突出レバー１７４の上縁にはラック１７６が刻設されている。図２に図示する如く、可動部材１２０が開位置に位置せしめられている時には、案内部材５０はばね部材１７２に弾性偏倚作用によって図２に実線で示すと共に図８に二点鎖線で示す第二の位置に維持されていて、画像担持手段１４を構成する回転ドラムの、開放された主搬送径路２８に露呈している部分を覆っている。従って、画像担持手段１４が周囲の光に露呈されて劣化せしめられることが効果的に防止される。案内部材５０が第二の位置に位置せしめられると、その両側部に形成されているリブ１６４が画像担持手段１４を構成する回転ドラムの両側部に形成されている大径部１７８に当接せしめられ、これによって案内部材５０が図２において更に時計方向に旋回せしめられることが阻止される。可動部材１２０が図２に図示する開位置から図１及び図３に図示する閉位置に旋回動せしめられる際には、突出レバー１７４に形成されているラック１７６が案内部材５０に配設されているピニオン歯車１７０に作用し、これによって案内部材５０は図１乃至図３において反時計方向に漸次旋回せしめられる。そして、可動部材１２０が図１及び図３に図示する閉位置まで旋回動せしめられると、案内部材５０は図１及び図８に実線で示す第一の位置に位置せしめられ、転写域３２の直ぐ上流側において主搬送径路２８の内側を規定する。
【００２９】
【発明の効果】
本発明に従って構成された画像形成機においては、単一の操作によって充分容易に主搬送径路の少なくとも大部分を開放することができ、また主搬送径路の少なくとも大部分の開放に伴って副搬送径路も少なくとも部分的に開放され、そして更に副搬送径路の少なくとも部分的開放に続いて、必要に応じて副搬送径路の少なくとも大部分を充分容易に開放することができる。
【図面の簡単な説明】
【図１】本発明に従って構成された画像形成機を示す簡略断面図。
【図２】図１に示す画像形成機を、開閉部材及び可動部材を開位置に旋回動せしめた状態で示す簡略部分断面図。
【図３】図１に示す画像形成機を、開閉部材を開位置に残留せしめて可動部材のみを閉位置に戻した状態で示す簡略部分断面図。
【図４】図１に示す画像形成機における開閉部材及び可動部材の連動及び離脱様式を示す簡略図。
【図５】図１に示す画像形成機における開閉部材及び可動部材の連動及び離脱様式の変形例を示す簡略図。
【図６】図１に示す画像形成機における開閉部材及び可動部材の連動及び離脱様式の他の変形例を示す簡略図。
【図７】図１に示す画像形成機における開閉部材及び可動部材の連動及び離脱様式の更に他の変形例を示す簡略図。
【図８】図１に示す画像形成機における可動案内部材を示す部分斜面図。
【符号の説明】
２：ハウジング
４：シート部材供給手段
１４：画像担持手段
１６：一様帯電手段（画像形成手段）
１８：画像露光手段（画像形成手段）
２０：現像手段（画像係止手段）
２２：クリーニング手段（画像形成手段）
２４：転写手段
２８；主搬送径路
３０：シート部材排出口
３２：転写域
３４：定着域
３６：上流域
３８：中間域
４０：下流域
５２：可動案内部材
６２：定着手段
７４：導入径路
８４：付加排出径路
８８；副搬送径路
１１２：付加排出径路
１１８：開閉部材
１２０：可動部材
１２６：ロック部材（第一のロック部材）
１２９：被ロック部材（第一のロック部材）
１２８：把持片
１４２：被係合部材
１４６：第二のロック部材
１４８：第二の被ロック部材
【図１】
0004129113.tif 000002
【図２】
0004129113.tif 000003
【図３】
0004129113.tif 000004
【図４】
0004129113.tif 000005
【図５】
0004129113.tif 000006
【図６】
0004129113.tif 000007
【図７】
0004129113.tif 000008
【図８】
0004129113.tif 000009